(57)【要約】【課題】複数の系統の電源回路を備えた電源装置において、スイッチを用いることなく電源切り替え等を可能とする電源装置を提供することを目的とする。【解決手段】商用交流電源１０を駆動源とする第１電源回路１と、二次電池５を駆動源とする第２電源回路２とを用いて負荷３を駆動する電源装置であって、第１電源回路１と負荷３との間であって且つ第１電源回路１と第２電源回路２との間に設けられた、第１電源回路１からの電流を定電流とするための定電流回路４と、第２電源回路２の出力側と定電流回路４の出力側の接続点９の電圧Ｖａに応じて定電流回路４の作動状態を制御する制御部７と、を備えている。【選択図】図１
2007116772.tif 000002
【特許請求の範囲】
【請求項１】
外部電源を駆動源とする第１電源回路と、
二次電池を駆動源とする第２電源回路とを用いて負荷を駆動する電源装置であって、
前記第１電源回路と前記負荷との間であって且つ前記第１電源回路と前記第２電源回路との間に設けられた、前記第１電源回路からの電流を定電流とするための定電流回路と、
前記負荷に供給されるべき、前記第２電源回路の出力側と前記定電流回路の出力側の接続点の電圧を検出する電圧検出回路と、
前記電圧検出回路による検出結果に応じて前記定電流回路の作動状態を制御する制御部と、を備えた
ことを特徴とする電源装置。
【請求項２】
前記制御部は、前記接続点の電圧が所定の第１電圧を下回ろうとした際に前記定電流を前記負荷の消費電流よりも大きくし、且つ、前記接続点の電圧が前記第１電圧よりも高い所定の第２電圧を上回ろうとした際に前記定電流を前記消費電流よりも小さくする
ことを特徴とする請求項１に記載の電源装置。
【請求項３】
前記制御部は、前記接続点の電圧が所定の第１電圧を下回ろうとした際に前記定電流回路の作動を開始させ、且つ、前記接続点の電圧が前記第１電圧よりも高い所定の第２電圧を上回ろうとした際に前記定電流回路の作動を停止させる
ことを特徴とする請求項１に記載の電源装置。
【請求項４】
前記制御部は、当該電源装置の動作モードを選択する動作モード選択部を備え、
前記動作モードとして、前記第１電源回路及び第２電源回路の少なくとも一方にて前記負荷を駆動する通常モードと、前記第１電源回路にて連続的に前記二次電池を充電する充電モードとが含まれ、
前記制御部は、選択された動作モードに応じて前記負荷の消費電力を変化させる
ことを特徴とする請求項１に記載の電源装置。
【請求項５】
前記通常モードが選択されている状態において、前記制御部は、前記接続点の電圧が所定の第１電圧を下回ろうとした際に前記定電流を前記負荷の消費電流よりも大きくし、且つ、前記接続点の電圧が前記第１電圧よりも高い所定の第２電圧を上回ろうとした際に前記定電流を前記消費電流よりも小さくし、
前記充電モードが選択されている状態において、前記制御部は、前記定電流を前記消費電流よりも大きく保つとともに、前記負荷の消費電力を前記通常モードが選択されている状態におけるそれよりも小さくする
ことを特徴とする請求項４に記載の電源装置。
【請求項６】
前記外部電源の前記第１電源回路に対する接続及び未接続は自在となっており、
前記外部電源を前記第１電源回路に接続していない状態から接続している状態に移行した際において、前記接続点の電圧が前記第２電圧より高くなっているとき、前記制御部は、前記定電流を前記消費電流よりも小さくし、一方、前記接続点の電圧が前記第２電圧より低くなっているとき、前記定電流を前記消費電流よりも大きくする
ことを特徴とする請求項２、３または５に記載の電源装置。
【請求項７】
前記第１電圧は、前記第２電源回路の出力を停止させるべき所定の出力停止電圧よりも高く設定されている
ことを特徴とする請求項２、３、５または６に記載の電源装置。
【請求項８】
前記第２電圧は、前記二次電池が満充電状態にあることに対応する所定の満充電電圧よりも低く設定されている
ことを特徴とする請求項２、３、５、６または７に記載の電源装置。
【発明の詳細な説明】
【技術分野】
【０００１】
本発明は、負荷を駆動するための電源装置に関し、特に、複数の系統の電源回路によって負荷を駆動する電源装置に関する。
【背景技術】
【０００２】
２系統の電源回路によって負荷を駆動する従来の電源装置を含んだ電子機器の全体構成例を図４に示す。図４において、第１電源回路１は、商用交流電源１０からの交流電圧を入力電圧として受け、所定の直流電圧を出力する。第１電源回路１の出力電圧はスイッチ１０１を介して負荷３に供給される。
【０００３】
二次電池５から成る第２電源回路２の出力電圧はスイッチ１０２を介して負荷３に供給される。また、第１電源回路１の正側の出力端子はスイッチ１０１を介して定電流回路１０３の入力側に接続され、定電流回路１０３の出力側は二次電池５の正極に接続されている。定電流回路１０３が出力する定電流は充電電流として二次電池５に供給される。定電流回路１０３が出力する定電流の電流値は、図示されない制御部からの制御信号によって制御される。
【０００４】
また、上記の制御部は、図４の電源装置の動作モードとして、第１電源回路１にて負荷３を駆動する第１モード、第２電源回路２にて負荷３を駆動する第２モード、または第１電源回路１にて二次電池５を充電する第３モードを択一的に選択する。
【０００５】
第１電源回路１にて負荷３を駆動する第１モードでは、スイッチ１０１及び１０２が夫々オン及びオフとされ、定電流回路１０３が出力する定電流の電流値はゼロに設定される。第２電源回路２にて負荷３を駆動する第２モードでは、スイッチ１０１及び１０２が夫々オフ及びオンとされ、定電流回路１０３が出力する定電流の電流値はゼロに設定される。第１電源回路１にて二次電池５を充電する第３モードでは、スイッチ１０１及び１０２が夫々オン及びオフとされ、定電流回路１０３が出力する定電流の電流値は所定の充電電流値（≠０）とされる。
【０００６】
また、下記特許文献１に記載の構成は、商用交流電源と接続されるＡＣアダプタ部と機器本体部との接続／未接続に応じて開閉するスイッチ（ＤＣソケット）と、ＡＣアダプタ部及び鉛蓄電池と回路部分（負荷）の間に設けたスイッチと、鉛蓄電池と定電流回路の間に設けたスイッチを備え、各スイッチを開閉制御することにより、回路部分（負荷）に電力を供給する電源の切り替えと鉛蓄電池の充電を可能としている。
【０００７】
【特許文献１】特開平２−１３１３３１号公報
【発明の開示】
【発明が解決しようとする課題】
【０００８】
上述の説明から明らかなように、図４に示す電源装置においては、負荷３に電力を供給する電源の切り替え（第１と第２モードの切り替え）と二次電池５の充電（第３モード）を可能とするために、複数のスイッチが必要となる。このような複数のスイッチの存在は、装置の大型化やコストアップを招く。また、各スイッチを、トランジスタ等を用いて構成したとしても、そのトランジスタにおける電力損失が、二次電池５による機器の動作可能時間の減少等を招く。また、上記問題は特許文献１の構成においても同様に生じる。
【０００９】
本発明は、上記の点に鑑み、複数の系統の電源回路を備えた電源装置において、スイッチを用いることなく電源切り替え等を可能とする電源装置を提供することを目的とする。
【課題を解決するための手段】
【００１０】
上記目的を達成するために本発明に係る電源装置は、外部電源を駆動源とする第１電源回路と、二次電池を駆動源とする第２電源回路とを用いて負荷を駆動する電源装置であって、前記第１電源回路と前記負荷との間であって且つ前記第１電源回路と前記第２電源回路との間に設けられた、前記第１電源回路からの電流を定電流とするための定電流回路と、前記負荷に供給されるべき、前記第２電源回路の出力側と前記定電流回路の出力側の接続点の電圧を検出する電圧検出回路と、前記電圧検出回路による検出結果に応じて前記定電流回路の作動状態を制御する制御部と、を備えたことを特徴とする。
【００１１】
上記のように構成し定電流回路の作動状態を適切に制御すれば、定電流回路を介しつつ第１電源回路にて負荷を駆動することも、第２電源回路で負荷を駆動することも可能ととなる。また更に、定電流回路を介しつつ第１電源回路にて第２電源回路の二次電池を充電することも可能となる。つまり、電源切り替えや二次電池の充電を行うために、第１電源回路と第２電源回路と負荷との間にスイッチを設ける必要がない。
【００１２】
具体的には例えば、前記制御部は、前記接続点の電圧が所定の第１電圧を下回ろうとした際に前記定電流を前記負荷の消費電流よりも大きくし、且つ、前記接続点の電圧が前記第１電圧よりも高い所定の第２電圧を上回ろうとした際に前記定電流を前記消費電流よりも小さくする。
【００１３】
定電流を負荷の消費電流よりも大きくすれば、残余の電流にて二次電池の充電が行われ、定電流を負荷の消費電流よりも小さくすれば、負荷の駆動に二次電池の放電が用いられる。上記のように構成すれば、安定して負荷を駆動することが可能となる。
【００１４】
また例えば、前記制御部は、前記接続点の電圧が所定の第１電圧を下回ろうとした際に前記定電流回路の作動を開始させ、且つ、前記接続点の電圧が前記第１電圧よりも高い所定の第２電圧を上回ろうとした際に前記定電流回路の作動を停止させるようにしてもよい。
【００１５】
上記のように定電流回路の作動の開始及び停止を制御するようにしても、安定した負荷の駆動を実現可能となる。
【００１６】
また例えば、前記制御部は、当該電源装置の動作モードを選択する動作モード選択部を備え、前記動作モードとして、前記第１電源回路及び第２電源回路の少なくとも一方にて前記負荷を駆動する通常モードと、前記第１電源回路にて連続的に前記二次電池を充電する充電モードとが含まれ、前記制御部は、選択された動作モードに応じて前記負荷の消費電力を変化させる。
【００１７】
動作モードに応じて負荷の消費電力を変化させることにより（例えば、充電モードにおいて負荷の消費電力を小さくすることにより）、充電モードにおいて二次電池を速やかに充電するといったことが可能となる。
【００１８】
具体的には例えば、前記通常モードが選択されている状態において、前記制御部は、前記接続点の電圧が所定の第１電圧を下回ろうとした際に前記定電流を前記負荷の消費電流よりも大きくし、且つ、前記接続点の電圧が前記第１電圧よりも高い所定の第２電圧を上回ろうとした際に前記定電流を前記消費電流よりも小さくし、前記充電モードが選択されている状態において、前記制御部は、前記定電流を前記消費電流よりも大きく保つとともに、前記負荷の消費電力を前記通常モードが選択されている状態におけるそれよりも小さくする。
【００１９】
また例えば、前記外部電源の前記第１電源回路に対する接続及び未接続は自在となっており、前記外部電源を前記第１電源回路に接続していない状態から接続している状態に移行した際において、前記接続点の電圧が前記第２電圧より高くなっているとき、前記制御部は、前記定電流を前記消費電流よりも小さくし、一方、前記接続点の電圧が前記第２電圧より低くなっているとき、前記定電流を前記消費電流よりも大きくするとよい。
【００２０】
また例えば、前記第１電圧は、前記第２電源回路の出力を停止させるべき所定の出力停止電圧よりも高く設定されている。
【００２１】
また例えば、前記第２電圧は、前記二次電池が満充電状態にあることに対応する所定の満充電電圧よりも低く設定されている。
【発明の効果】
【００２２】
上述した通り、本発明に係る電源装置によれば、複数の系統の電源回路を備えた電源装置において、スイッチを用いることなく電源切り替え等が可能となる。
【発明を実施するための最良の形態】
【００２３】
以下、本発明の実施形態につき、図面を参照して具体的に説明する。図１は、本発明を適用した電子機器の全体構成図である。図１の電子機器は、例えば、携帯型のパーソナルコンピュータ、デジタルスチルカメラ、デジタルビデオカメラである。
【００２４】
図１の電子機器を駆動させる電源装置は、第１電源回路１、第２電源回路２、定電流回路４、電圧検出回路６及び制御部７を含んで構成される。制御部７は動作モード選択部８を有して構成される。
【００２５】
第１電源回路１は、外部電源としての商用交流電源１０を駆動源として所定の電圧を出力する。具体的には例えば、第１電源回路１は、商用交流電源１０から供給される交流電圧（例えば、ＡＣ１００Ｖ）を入力電圧として受け、その入力電圧を整流回路、スイッチングレギュレータ等を用いて所定の直流電圧に変換し、該直流電圧を出力する。第１電源回路１の正側の出力端子は定電流回路４の入力側に接続され、負側の出力端子は基準電位（例えば０Ｖ）を有するグランドラインに接続されている。第１電源回路１の回路構成として周知の回路構成を採用しているため、その詳細な回路構成の図示及び説明を省略する。また、商用交流電源１０の第１電源回路１に対する接続、未接続は自在となっている。
【００２６】
定電流回路４の出力側は接続点９に接続されている。接続点９は負荷３の正側の電源入力端子に接続されており、負荷３の負側の電源入力端子はグランドラインに接続されている。負荷３は、負側の電源入力端子を基準とした正側の電源入力端子の電圧を電源電圧として駆動する。負荷３は、例えば、表示部としてのＬＣＤ（Liquid Crystal Display）パネルや無線通信を行うための送受信回路等を含んで構成される。また、接続点９から負荷３に流れる電流、即ち、負荷３の消費電流の電流値をＩｒとする。この電流値Ｉｒは、負荷３にて消費される平均の電流値である。
【００２７】
定電流回路４は、第１電源回路１の出力電流が一定値を有する定電流になるように、第１電源回路１の正側の出力端子と接続点９とを接続する線路に直列に介在している。定電流回路４が出力する定電流の電流値をＩCSTと記す。定電流回路４の回路構成として周知の回路構成を採用しているため、その詳細な回路構成の図示及び説明を省略する。
【００２８】
第２電源回路２は、二次電池５から構成され、該二次電池５を駆動源とする。二次電池５として、ニッケル水素二次電池やリチウムイオン二次電池等を採用可能である。二次電池５の正極（出力側）は定電流回路４の出力側と接続点９にて接続されている。二次電池５の負極はグランドラインに接続されている。二次電池５として、複数の二次電池を直列接続（或いは並列接続）した組電池を採用しても構わない。二次電池５として、複数の二次電池を直列接続した組電池を採用した場合、最も高電圧側の二次電池の正極が接続点９に接続され、最も低電圧側の二次電池の負極がグランドラインに接続されることになる。
【００２９】
電圧検出回路６は、グランドラインを基準とした接続点９の電圧（即ち、二次電池５の出力電圧）を検出する。以下、接続点９の電圧をＶａと記す。電圧検出回路６は、例えば、接続点９の電圧を入力電圧として受けるアナログ／デジタルコンバータから構成される。電圧検出回路６による接続点９の電圧Ｖａの検出結果は制御部７に与えられる。
【００３０】
制御部７は、電圧Ｖａの検出結果に基づいて定電流回路４の作動状態を制御する。具体的には、電圧Ｖａの検出結果に基づいて、定電流回路４の出力側から出力される定電流の電流値ＩCSTを制御する制御信号を定電流回路４に供給する。また、制御部７は、商用交流電源１０と第１電源回路１の接続関係を認識可能となっている。
【００３１】
また、制御部７は、動作モード選択部８を備えている。動作モード選択部８は、当該電源装置（電子機器）の動作モードを択一的に選択する。選択される動作モードとして、通常モードと充電モードが含まれる。
【００３２】
選択される動作モードに応じて負荷３の状態が変化することになるが（詳細は後述）、以下、特に記載しない限り、通常モードが選択されている状態を想定して説明を行う。通常モードにおいて、負荷３は電子機器の本来的な機能を実現可能となる。つまり、例えば、ＬＣＤパネルに所定の文字、画像等が表示され、また、送受信回路によって無線通信が行われる。尚、制御部７は負荷３の動作状態を制御することにより負荷３の消費電力を制御可能となっている。また、後に電子機器の電源のオン／オフに係わる議論を行うが、以下、特に記載しない限り、電子機器の電源はオンとなっているものとする。
【００３３】
ここで、電圧Ｖａとの比較に用いられる４つの電圧ＶMIN、Ｖ１、Ｖ２及びＶMAXを定義する。それらの４つの電圧の間には、不等式「ＶMIN＜Ｖ１＜Ｖ２＜ＶMAX」が成立する。電圧ＶMIN、Ｖ１、Ｖ２及びＶMAXの各電圧値は予め設定されて制御部７内に記憶されている。
【００３４】
電圧ＶMINは、商用交流電源１０が第１電源回路１に接続されておらず第２電源回路２にて負荷３を駆動する場合において、電圧Ｖａと比較される出力停止電圧である。電圧（出力停止電圧）ＶMINの電圧値は、二次電池５の放電終止電圧と等しいか或いは該放電終止電圧に若干の（正の）マージンを加えた値に設定される。
【００３５】
商用交流電源１０が第１電源回路１に接続されておらず第２電源回路２にて負荷３を駆動する場合において、電圧Ｖａが電圧ＶMINまで降下したとき、過放電を防止するために第２電源回路２からの出力を停止すべきである。但し、図１の回路構成では第２電源回路２と負荷３との接続を切断することができないため、実際には、電圧Ｖａが電圧ＶMINまで降下したときに、例えば制御部７が負荷３を停止状態として負荷３の消費電力を極小（理想的にはゼロ）にする。
【００３６】
電圧ＶMAXは、第１電源回路１にて第２電源回路２の二次電池５を充電した場合において、電圧Ｖａと比較される満充電電圧（充電停止電圧）である。二次電池５が満充電状態（最大限に充電した状態）となった場合、電圧Ｖａは電圧ＶMAXとなる。
【００３７】
そして、上記の不等式に示すように、電圧（出力停止電圧）ＶMINよりも高い電圧Ｖ１と、電圧（満充電電圧）ＶMAXよりも低く且つ電圧Ｖ１よりも高い電圧Ｖ２を定義する。
【００３８】
図２に、図１の電源装置（電子機器）の動作を示すフローチャートを示す。図２は、商用交流電源１０を第１電源回路１に接続した場合を想定している。
【００３９】
商用交流電源１０を第１電源回路１に接続していない状態から接続している状態に移行すると（ステップＳ１）、ステップＳ２において、制御部７は電圧Ｖａと電圧Ｖ２とを比較し、Ｖａ≧Ｖ２（或いは、Ｖａ＞Ｖ２）が成立するか否かを判定する。Ｖａ≧Ｖ２（或いは、Ｖａ＞Ｖ２）が成立する場合（ステップＳ２のＹ）、二次電池５の出力電圧が比較的高く充電は不要と判断され、ステップＳ３に移行する。
【００４０】
ステップＳ３において、制御部７は定電流の電流値ＩCSTをゼロとするための制御信号を定電流回路４に出力する。これにより、定電流の電流値ＩCSTはゼロに設定される。電流値ＩCSTをゼロに設定するということは、定電流回路４の作動を停止させることに等しい。電流値ＩCSTがゼロに設定された場合、第２電源回路２が負荷３へ電力を供給することになるため、負荷３の電力消費により電圧Ｖａは徐々に低下していく。
【００４１】
ステップＳ３を終えるとステップＳ４に移行する。ステップＳ４において、制御部７は電圧Ｖａと電圧Ｖ１とを比較し、Ｖａ≦Ｖ１（或いは、Ｖａ＜Ｖ１）が成立するか否かを判定する。Ｖａ≦Ｖ１（或いは、Ｖａ＜Ｖ１）が成立しない場合は（ステップＳ４のＮ）、ステップＳ４の判定処理が繰り返される。Ｖａ≦Ｖ１（或いは、Ｖａ＜Ｖ１）が成立する場合は（ステップＳ４のＹ）、ステップＳ５に移行する。
【００４２】
ステップＳ５において、制御部７は定電流の電流値ＩCSTをＩａとするための制御信号を定電流回路４に出力する。これにより、定電流の電流値ＩCSTはＩａに設定される。この電流値Ｉａは、通常モードにおける負荷３の消費電流の電流値Ｉｒよりも大きい値に設定されている。このため、電流値ＩCSTがＩａに設定されている状態においては、（Ｉａ−Ｉｒ）の値を有する電流にて二次電池５が充電されることになり、これによって接続点９の電圧Ｖａは徐々に上昇することになる。
【００４３】
そして、接続点９の電圧Ｖａが電圧Ｖ２に達すると（ステップＳ６のＹ）、ステップＳ３に移行して定電流の電流値ＩCSTはゼロとされる。具体的には、ステップＳ５を終えるとステップＳ６に移行し、ステップＳ６において、制御部７は、Ｖａ≧Ｖ２（或いは、Ｖａ＞Ｖ２）が成立するか否かを判定する。Ｖａ≧Ｖ２（或いは、Ｖａ＞Ｖ２）が成立しない場合は（ステップＳ６のＮ）、ステップＳ６の判定処理が繰り返され、Ｖａ≧Ｖ２（或いは、Ｖａ＞Ｖ２）が成立する場合は（ステップＳ６のＹ）、ステップＳ３に移行する。以後、上述の各ステップの動作が繰り返される。
【００４４】
尚、ステップＳ３における「電流値ＩCSTをゼロに設定する」という処理を、上述のように定電流回路４の作動を停止させる処理と捉えた場合、ステップＳ５における「電流値ＩCSTをＩａに設定する」という処理は、定電流回路４の作動を開始させる処理と捉えることができる。
【００４５】
また、ステップＳ２において、Ｖａ≧Ｖ２（或いは、Ｖａ＞Ｖ２）が成立しない場合は（ステップＳ２のＮ）、ステップＳ５に移行し、以後、上述の各ステップの動作が行われる。つまり、ステップＳ５にて定電流の電流値ＩCSTがＩａに設定された後、ステップＳ６に移行する。そして、（Ｉａ−Ｉｒ）の値を有する電流にて二次電池５が充電され、接続点９の電圧Ｖａが電圧Ｖ２に達すると（ステップＳ６のＹ）、ステップＳ３に移行して定電流の電流値ＩCSTはゼロとされる（以後、上述の各ステップの動作が繰り返される）。
【００４６】
図３に、ステップＳ３〜Ｓ６の処理を繰り返し行っている状態における電圧Ｖａの時間変化を示す。期間Ｐ１は電流値ＩCSTがＩａに設定されている期間に対応しており、期間Ｐ２は電流値ＩCSTがゼロに設定されている期間に対応している。上記のように定電流回路４を制御すれば、図３にも示されているように、接続点９の電圧Ｖａは電圧Ｖ１と電圧Ｖ２の間に保たれることになる。
【００４７】
また、ステップＳ３における、「定電流の電流値ＩCSTをゼロに設定する」という処理を「定電流の電流値ＩCSTをＩｂ（但し、Ｉｂ＞０）に設定する」という処理に代えても構わない。この電流値Ｉｂは、通常モードにおける負荷３の消費電流の電流値Ｉｒよりも小さい値に設定される。このため、電流値ＩCSTがＩｂに設定されている状態においては、第１電源回路１と第２電源回路２の双方によって負荷３が駆動され、電圧Ｖａは徐々に低下していくことになる。
【００４８】
次に、動作モード選択部８によって充電モードが選択されている状態を考える。通常モードにおいても間欠的に二次電池５は充電されることになるが、充電モードにおいては連続的に二次電池５が充電される。具体的には、充電モードが選択されると、制御部７は電流値ＩCSTをＩａに設定する。そして、速やかに二次電池５が充電されるように、充電モードにおける負荷３の消費電力を、通常モードにおける負荷３の消費電力よりも小さくする。具体的には例えば、制御部７が負荷３を停止状態とすることにより、負荷３の消費電力を極小（理想的にはゼロ）にする。これにより、充電モードにおける二次電池５への充電電流の電流値はＩａに略等しくなり、速やかに二次電池５が充電される。
【００４９】
また、充電モードにおいて、電圧Ｖａが上昇して電圧ＶMAXに達すると、過充電を防止すべく電流値ＩCSTはゼロとされる。
【００５０】
動作モード選択部８は、商用交流電源１０と第１電源回路１の接続関係や外部信号などに応じて、当該電源装置（電子機器）の動作モードを選択する。例えば、商用交流電源１０が第１電源回路１に接続されている状態において、使用者が電子機器に備えられる電源スイッチ（不図示）を操作することにより電子機器の電源がオフとされたとき、その電源オフに関する情報（外部信号）は動作モード選択部８に伝達される。動作モード選択部８は、その情報を受けると動作モードとして充電モードを選択する。また、電子機器の電源がオフとされている状態において、商用交流電源１０と第１電源回路１との接続関係を未接続状態から接続状態に移行させたときも、充電モードが選択される。
【００５１】
他方、商用交流電源１０が第１電源回路１に接続されている状態において、使用者が電子機器に備えられる電源スイッチ（不図示）を操作することにより電子機器の電源がオンとされたとき、その電源オンに関する情報（外部信号）は動作モード選択部８に伝達される。動作モード選択部８は、その情報を受けると動作モードとして通常モードを選択する。
【００５２】
また、商用交流電源１０が第１電源回路１に接続されていない状態においては、第２電源回路２のみによって負荷３は駆動される。この際、電流値ＩCSTはゼロに設定される。この場合に選択される動作モードは、通常モードに分類される。
【産業上の利用可能性】
【００５３】
本発明は、携帯型のパーソナルコンピュータ、デジタルスチルカメラ、デジタルビデオカメラ等の電子機器の電源装置として好適である。
【図面の簡単な説明】
【００５４】
【図１】本発明の実施の形態に係る電子機器（電源装置）の全体構成図である。
【図２】図１の電源装置の動作を示すフローチャートである。
【図３】図１の二次電池の出力電圧の時間的な変化の一例を示す図である。
【図４】従来の電子機器（電源装置）の全体構成図である。
【符号の説明】
【００５５】
１  第１電源回路
２  第２電源回路
３  負荷
４  定電流回路
５  二次電池
６  電圧検出回路
７  制御部
８  動作モード選択部
９  接続点
１０  商用交流電源
【図１】
2007116772.tif 000003
【図２】
2007116772.tif 000004
【図３】
2007116772.tif 000005
【図４】
2007116772.tif 000006